(57)【要約】【課題】  本発明は、電気電子機器装置において、アース金具の形状不具合や、アース金具と、電気電子機器装置の筺体との固着に不具合があっても、より確実に良好な接地が可能となるアース金具およびこれを用いた電気電子機器装置を提供する。【解決手段】  アース金具が、筺体との接触面部と、接触面部から鉛直方向に延設された側面部と、接触面部に形成した固定具挿通孔と、側面部の基体の一部を切り起こして形成した舌片とを備え、アース金具と、電気電子機器装置の筺体とを固着する固定具が、舌片と当接して電気的導通路を形成し、アース金具と、筺体とが電気的に導通する。 【選択図】図１
2010205457.tif 000002
【特許請求の範囲】
【請求項１】
電気電子機器装置の筺体との接触面部と、該接触面部から鉛直方向に延設された側面部と、該接触面部に形成した固定具挿通孔と、該側面部の基体の一部を切り起こして形成した舌片と、を備える、
アース金具。
【請求項２】
電気電子機器装置の筺体との接触面部と、該接触面部から鉛直方向に延設された側面部と、
該接触面部に形成した固定具挿通孔と、
該接触面部の基体の一部と、該側面部の基体の一部とを一体に切り起こして形成した舌片と、該プリント基板との接続部と、を備え、
該側面部に形成される支点によって扇動可能に形成される該舌片が、該接触面部の平面から突出する凸部を有する、
アース金具。
【請求項３】
請求項１に記載のアース金具と、固定具と、固定具挿通孔を有する筐体と、を備え、
該筐体の該固定具挿通孔と、前記アース金具の固定具挿通孔と、を連通する該固定具が、
該アース金具の前記側面部の基体の一部を切り起こして形成した前記舌片に当接し、
該筺体と、該アース金具と、を電気的に導通する、
電気電子機器装置。
【請求項４】
請求項２に記載のアース金具と、固定具と、固定具挿通孔を有する筐体と、を備え、
該筐体の該固定具挿通孔と、前記アース金具の固定具挿通孔と、を連通する該固定具が、
該アース金具の前記側面部の基体の一部を切り起こして形成した前記舌片に当接するとともに、
該舌片を扇動させてその前記凸部を該筺体に当接させて、
該筺体と、該アース金具と、を電気的に導通する、
電気電子機器装置。
【発明の詳細な説明】
【技術分野】
【０００１】
本発明は、電気電子機器装置に収容される基板と、電気電子機器装置の筺体とを電気的に接続するアース金具に関し、電気的導通に優れ、接地不良の発生が少ないアース金具とこれを用いた電気電子機器装置を提供するものである。
【背景技術】
【０００２】
電気電子機器装置において、機器の動作不良や事故を防止する目的で接地を良好に行うことが必要となる。従来のアース金具には固定具挿通孔が形成され、その固定具挿通孔と、電子電気機器装置の筐体に形成された固定具挿通孔とに、導電性の固定具を連通して、アース金具と筐体とを固着することにより接地するものがある。アース金具に歪み等の形状不具合が生じたり、筺体に収容する基板の配置にずれが生じたりなどの原因によって接地不良があってはならず、より確実に接地可能なアース金具が望まれる。
【０００３】
実用新案登録第２５９６２３８号公報には、アース端子と、筺体およびアース端子を接続する接続部材とを、それぞれに形成された螺子孔に螺子を連通して固着し、接地する技術が開示されている。アース端子の形状不具合、螺子および螺子の螺子溝の不具合が発生するなどして、接続部材と、アース端子との間の電気的導通路の形成に問題が生じ、接地が不安定となる場合が考えられる。
【先行技術文献】
【特許文献】
【０００４】
【特許文献１】実用新案登録第２５９６２３８号公報
【発明の概要】
【発明が解決しようとする課題】
【０００５】
本発明は、上記の従来技術が有する問題を解決するためになされたものであり、その目的は、アース金具の形状不具合や、アース金具と、電気電子機器装置の筺体と、を固着する固定具の不良、すなわち、アース金具と筺体との電気的導通に不具合があっても、より確実に良好な接地が可能となる、アース金具およびこれを用いた電気電子機器装置を提供することにある。
【課題を解決するための手段】
【０００６】
本発明のアース金具は、アース金具が、筺体との接触面部と、接触面部から鉛直方向に延設された側面部と、接触面部に形成した固定具挿通孔と、側面部の基体の一部を切り起こして形成した舌片とを備える。
【０００７】
また本発明のアース金具は、アース金具が、筺体との接触面部と、接触面部から鉛直方向に延設された側面部と、接触面部に形成した固定具挿通孔と、接触面部の基体の一部および側面部の基体の一部を、一体に切り起こして形成した舌片と、を備え、側面部に形成される支点によって扇動可能に形成される舌片が、接触面部の平面から突出する凸部を有する。
【０００８】
また本発明の電気電子機器装置は、アース金具と、固定具と、固定具挿通孔を有する筺体と、を備え、筐体の固定具挿通孔と、アース金具の固定具挿通孔と、を連通する固定具が、アース金具の側面部の基体の一部を切り起こして形成した舌片に当接し、筺体と、アース金具と、を電気的に導通する。
【０００９】
また本発明の電気電子機器装置は、アース金具と、固定具と、固定具挿通孔を有する筐体と、を備え、筐体の固定具挿通孔と、アース金具の固定具挿通孔と、を連通する固定具が、アース金具の側面部の基体の一部を切り起こして形成した舌片に当接するとともに、舌片を扇動させてその凸部を筺体に当接させて、筺体と、アース金具と、を電気的に導通する。
【００１０】
以下、本発明の作用について説明する。
【００１１】
本発明のアース金具は、筺体との接触面部と、接触面部から鉛直方向に延設された側面部と、接触面部に形成した固定具挿通孔と、側面部の基体の一部を切り起こして形成した舌片とを備える。接触面部と、側面部とは、略コの字形状に一体に構成しており、側面部の基体の一部を切り起こして形成した舌片が、接触面部と、側面部とに囲まれる内方へ切り起こされて構成される。本発明のアース金具は、接触面部に形成された固定具挿通孔と、筺体に形成された固定具挿通孔とに固定具を連通し、電気電子機器装置の筺体に固着する。ここで、固定具の先端が、アース金具の舌片に当接して、アース金具と、筺体との間に電気的導通路を形成する。
【００１２】
さらに本発明のアース金具は、筺体との接触面部の基体の一部と、側面部の基体の一部とを一体に切り起こして形成した舌片を有する。舌片は、接触面部の基体の一部が切り起こされて、接触面部の平面より突出する凸部を備える。凸部側の一端と、側面部の基体側の他端と、の間に支点を備える舌片は、側面部に対して扇動可能に形成される。アース金具と、筺体とを固着する固定具が、舌片に当接するまで挿通し、尚も挿通することにより、固定具が舌片を扇動させる。舌片は、接触面部の平面より突出する凸部を有するので、凸部が筺体に当接するまで舌片が扇動する。すなわち、凸部が筺体に当接するまで固定具を挿通する。
【００１３】
舌片の凸部と、筺体とが当接することによって、アース金具と、筺体との電気的導通路を形成することが出来る。従って、アース金具の形状不具合に起因する、アース金具と筺体との接触不良や、固定具の不良、または、固定具挿通孔の寸法不具合などによって、筺体とアース金具との電気的導通に不具合が発生しても、筺体とアース金具とは、舌片の凸部が筺体と接触するので、電気的導通路が確保され、確実に接地が可能となる。
【発明の効果】
【００１４】
本発明のアース金具およびこれを用いた電気電子機器装置は、アース金具の形状不具合などに起因して、筺体と、アース金具との間に接触不良が発生したり、固定具の不良、または、固定具挿通孔の寸法不具合などによって、筺体と、アース金具との電気的導通に不具合が発生するなどしても、アース金具に形成した舌片が、筺体と、アース金具とを、電気的に導通するので、確実に接地が可能となる。
【図面の簡単な説明】
【００１５】
【図１】本発明のアース金具１を説明する図である。
【００１６】
【図２】本発明のアース金具１を用いた電気電子機器装置１００を示す図である。
【００１７】
【図３】本発明のアース金具２を説明する図である。
【００１８】
【図４】本発明のアース金具２を用いた電気電子機器装置２００を説明する図である。
【符号の説明】
【００１９】
アース金具        １、２
電気電子機器装置  １００、２００
接触面部          ３、２３
側面部            ４、２４
固定具挿通孔      ５、２５、
舌片              ６、２６
基板接触片        ７、２７
基板              ８
筐体              １０
側面シャーシ      １０ａ
螺子              １３
軸先端            １３ａ
【発明を実施するための形態】
【００２０】
以下、本発明の実施の形態を具体的に説明するが、これらは本発明を実施するための例示に過ぎない。よって、本発明は後述する実施の形態に限定されることなく、その趣旨を逸脱しない範囲内で実施の形態を適宜変形して実施することが可能である。
【実施例１】
【００２１】
図１は本発明のアース金具１を示す図である。アース金具１は、筺体との接触面部３と、接触面部３から鉛直方向へ延設された２枚の側面部４と、から構成され、略コの字形状を有している。接触面部３の平面中央部分には、円形の固定具挿通孔５が形成されている。側面部４は、側面部４の基体の一部を切り起こして形成した舌片６と、側面部４に延設した基板接触片７と、を備える。基板接触片７は、１枚の側面部４につき２本形成する、つまり、アース金具１は、４本の基板接触片７を備える。
【００２２】
アース金具１の外寸は、接触面部を正面視して、幅（Ｘ）７．０ｍｍ×奥行（Ｙ）１０．０ｍｍ×高さ（Ｚ）１０．０ｍｍである。アース金具１の高さ寸法は、接触面部３および側面部４の高さ（Ｚ２）が７．０ｍｍであり、基板接触片７の高さ（Ｚ３）が３．０ｍｍである。アース金具１は、鉄、銅、真鍮などの材料から選択され、その材料にメッキが施されるなどして構成され得るが、本実施例のアース金具１はスズメッキした真鍮から構成される。
【００２３】
舌片６は、側面部４の基体の略中央に、側面部４を正面視して縦（Ｚ１）３．０ｍｍ×横（Ｙ１）７．０ｍｍの寸法で、横長矩形状のスリット（切り込み）が入るようにせん断し、曲げ加工して形成した。舌片６は、側面部４の両側面部に形成され、アース金具１は、２枚の舌片６を備える。それぞれの舌片６が、アース金具１の略コの字形状に囲まれる内方へ曲げ加工が施されることにより、２枚の舌片６が略ハの字形状に位置して構成される。
【００２４】
図２は、本発明のアース金具１を用いた電気電子機器装置１００を示す図である。アース金具１は、基板８の所定のアース金具取付部に基板接触片７を挿入して取り付けられる。本実施例において、アース金具１と、基板８とは、半田付けして取り付ける。アース金具１を取り付けた基板８が、電気電子機器装置１００の筺体１０に収容される。アース金具１は、筺体１０と固定具１１を介して固着する。本実施例の固定具１１は螺子１３であり、図２には、螺子１３を図示した。
【００２５】
筺体１０は、前面および後面パネル（図示しない）と、側面シャーシ１０ａと、下部シャーシ（図示しない）と、天板（図示しない）とから構成される。前面パネルの筺体内部側には、前面パネルと重なるように前面ブラケットや前面シャーシが配置されてもよい。筺体１０は、側面シャーシ１０ａに固定具挿通孔１２を備える。なお、アース金具１を取り付けた電気電子機器装置を示す図２において、固定具挿通孔１２は螺子１３の頭部に隠れて図示されない。アース金具１と、筐体１０とは、筺体１０の外方から螺子１３を筺体１０の固定具挿通孔１２と、アース金具１の固定具挿通孔５とに連通して固着する。すなわち、筺体１０の固定具挿通孔１２と、アース金具１の固定具挿通孔５は、それぞれ螺子孔である。
【００２６】
螺子１３は、筺体１０の固定具挿通孔１２と、アース金具１の固定具挿通孔５とに連通した後、軸先端１３ａがアース金具１の舌片６に当接するまで螺合する。螺子１３の軸先端１３ａが、舌片６に当接することで電気的導通路が形成される。ここで、螺子１３は、タッピング螺子や、小螺子などが用いられ得るが、本実施例では、タッピング螺子を用いる。使用する螺子に応じて、筺体およびアース金具の螺子孔には、適宜、螺子溝が形成され得る。
【００２７】
本発明によれば、アース金具の形状不具合に起因して、アース金具１の接触面部３と、筺体１０と、の面接触が妨げられても、アース金具１の舌片６と、螺子１３とが当接するので電気的導通路が確保され、より確実な接地が可能となる。また、螺子１３と、筺体１０の固定具挿通孔１２と、アース金具１の固定具挿通孔５と、の径公差に起因した電気的導通に不良が生じるおそれがあっても、アース金具１の舌片６と、螺子１３とが当接するので電気的導通路が確保され、より確実な接地が可能となる。
【実施例２】
【００２８】
図３ａおよび図３ｂは、本発明のアース金具２を示す図である。図３ａは、アース金具２の斜視図であり、図３ｂは、アース金具２の平面図である。アース金具２は、実施例１と同様に、筐体との接触面部２３と、接触面部２３から鉛直方向へ延設された２枚の側面部２４とで構成され、略コの字形状を有している。接触面部２３の平面略中央部分には、円形の固定具挿通孔２５が形成されている。側面部２４は、アース金具２の基体の一部を切り起こして形成した舌片２６と、側面部２４に延設した基板接触片２７とを備える。基板接触片２７は、側面部２４より延設された脚状の小片である。アース金具２は、１枚の側面部２４に基板接触片２７を２本有しており、計４本の基板接触片２７を備える。
【００２９】
アース金具２の基体の外寸は、接触面部２３を正面視して、幅（Ｘ）７．０ｍｍ×奥行（Ｙ）１０．０ｍｍ×高さ（Ｚ）１０．０ｍｍである。アース金具２の高さ寸法は、接触面部２３および側面部２４の高さ（Ｚ２’）が７．０ｍｍであり、基板接触片２７の高さ（Ｚ３’）が３．０ｍｍである。アース金具２は、鉄、銅、真鍮などの材料から選択され、その材料にメッキが施されるなどして構成され得るが、本実施例のアース金具２はスズメッキした真鍮から構成される。
【００３０】
舌片２６は、側面部２４の基体の略中央に、側面部２４の基体の一部と、接触面部２３の基体の一部を切り起こして形成した凸部２６ａとから構成される。凸部２６ａは、接触面部２３の基体の一部を切り起こして形成した部分であるので、接触面部２３の平面から突出する。
【００３１】
舌片２６は、側面部４を正面視して縦（Ｚ１’）３．０ｍｍ×横（Ｙ１’）７．２ｍｍの寸法を有して構成される。舌片２６は、側面部２４を縦３．０ｍｍ×横７．０ｍｍの寸法で切り起こされた部分と、接触面部２３を縦３．０ｍｍ×横０．２ｍｍの寸法で切り起こされた部分とから構成される。従って、舌片２６の凸部２６ａは、接触面部２３の平面に対して突出している。舌片２６は、凸部２６ａの一端と、側面部２４の基体の一部である他の一端と、の間に支点を有して構成され、舌片２６は、側面部２４に対して支点を軸に扇動可能に形成されている。
【００３２】
図４は、本発明のアース金具２を用いた電気電子機器装置２００を示す図である。アース金具２は、基板８のアース金具取付部（図示しない）に基板接触片２７を挿入して取り付けられる。本実施例においては、アース金具２と、基板８とは半田付けして取り付ける。アース金具２を取り付けた基板８が、電気電子機器装置２００の筺体１０に収容される。アース金具２は、筺体１０と固定具１１を介して固着する。本実施例の固定具１１は螺子１３であり、図４には、螺子１３を図示した。
【００３３】
筺体１０は、前面および後面パネル（図示しない）と、側面シャーシ１０ａと、下部シャーシ（図示しない）と、天板（図示しない）とから構成されるが、前面パネルと重なるように、筺体内部に前面ブラケットや前面シャーシがあってもよい。筺体１０は側面シャーシ１０ａに固定具挿通孔５を備える。アース金具２と筐体１０とは、筺体１０の外方から螺子１３を筺体１０の固定具挿通孔１２とアース金具２の固定具挿通孔２５とに連通して固着する。すなわち、筺体１０の固定具挿通孔１２とアース金具２の固定具挿通孔２５は、それぞれ螺子孔である。
【００３４】
螺子１３は、筺体１０の固定具挿通孔１２と、アース金具２の固定具挿通孔５と、に連通した後、軸先端１３ａがアース金具２の舌片２６に当接するまで螺合する。舌片２６は、扇動可能に形成しているので、螺子１３はさらに螺合可能である。螺子１３は、螺子１３の軸先端１３ａが舌片２６を扇動させると同時に、舌片２６の凸部２６ａが筺体に当接する。螺子１３の軸先端１３ａが舌片２６に当接するだけでなく、舌片２６の凸部２６ａが筺体１０とも当接して、電気的導通路が形成される。ここで、螺子１３は、タッピング螺子や小螺子などが選択され得るが、本実施例では、タッピング螺子を用いる。使用する螺子に応じて、筺体、および、アース金具の螺子孔には、適宜、螺子溝が形成され得る。
【００３５】
本発明によれば、アース金具の形状不具合に起因して、アース金具１の接触面部３と、筺体１０との面接触が妨げられても、若しくは、螺子１３と筺体１０の固定具挿通孔１２と、アース金具２の固定具挿通孔５との径公差に起因して、電気的導通に不良が生じるおそれがあっても、アース金具１の舌片６と、螺子１３とが当接するので電気的導通路が確保され、より確実な接地が可能となる。
【産業上の利用可能性】
【００３６】
本発明は、特定製品に限られず、あらゆる電気電子機器装置に用いられるが、映像機器および音響機器に特に好適に利用される。
【図１】
2010205457.tif 000003
【図２】
2010205457.tif 000004
【図３】
2010205457.tif 000005
【図４】
2010205457.tif 000006